(57)【要約】【課題】オゾン発生器によるケース部内の消臭をより安全に行い得るオゾン発生装置等の提供。【解決手段】オゾン発生装置は、開閉可能なふたを備えるケース部の運搬にともなう所定の事象が検出された場合に所定の出力を行う出力部と、前記出力により前記ケース部内にオゾンを放出するオゾン発生器と、を備える。【選択図】      図３
2020147456.tif 000002
【特許請求の範囲】
【請求項１】
開閉可能なふたを備えるケース部の運搬にともなう所定の事象が検出された場合に所定の出力を行う出力部と、
前記出力により前記ケース部内にオゾンを放出するオゾン発生器と、
を備える、オゾン発生装置。
【請求項２】
前記事象は前記ケース部の備える車輪の回転である、請求項１に記載されたオゾン発生装置。
【請求項３】
前記出力部は、前記回転により電力を発生する発電器を備え、前記オゾン発生器は、前記電力により前記放出を行う、請求項２に記載されたオゾン発生装置。
【請求項４】
前記事象は前記ケース部の備える車輪の回転の回転速度が、所定の期間、回転速度閾値を超えたことである、請求項１に記載されたオゾン発生装置。
【請求項５】
前記出力部は、前記ケース部の備える車輪の回転速度を表す回転速度情報の前記出力を行う回転速度検知部を備え、
前記検出を回転速度情報により行う回転速度情報処理部をさらに備える、
請求項４に記載されたオゾン発生装置。
【請求項６】
前記事象が、前記車輪である第一車輪の前記回転速度が前記回転速度閾値である第一回転速度閾値を超えるか、前記車輪である第二車輪の前記回転速度が前記回転速度閾値である第二回転速度閾値を超えるか、のいずれかである、
請求項４又は請求項５に記載されたオゾン発生装置。
【請求項７】
前記事象は前記ケース部の備えるふたが、所定の期間、閉じていることである、請求項１に記載されたオゾン発生装置。
【請求項８】
前記出力部は、前記ケース部の備えるふたが閉じている旨を表す閉情報の前記出力を行う開閉検知部を備え、
前記検出を前記閉情報により行う開閉情報処理部をさらに備える、
請求項７に記載されたオゾン発生装置。
【請求項９】
前記事象は前記ケース部の振動の大きさを表す振動値が、所定の期間、振動値閾値を超えたことである、請求項１に記載されたオゾン発生装置。
【請求項１０】
請求項１乃至請求項９のうちのいずれか一に記載されたオゾン発生装置と、前記ケース部とを備える、運搬ケース。
【発明の詳細な説明】
【技術分野】
【０００１】
本発明はケース内の消臭に関する。
【背景技術】
【０００２】
スーツケース等の運搬可能なケースは、略密封されたケース部内に使用済み衣服等もいれるため、衣服などから発生する異臭が問題となる。異臭を抑えるために一般的には消臭スプレーが使用されている。しかしながら、消臭スプレーによる消臭効果は吹きかけたときから短時間のみ有効であり継続的ではない。
【０００３】
この問題を解決し得る方法として、オゾン発生器をケース部内に設置する方法が考えられる。なお、オゾン発生器は種々の製品が市販されている。
【０００４】
ここで、特許文献１は、振動センサが外部振動を検出するときに発生する振動信号を受け取ることによりアラーム回路がアラーム信号を発生するスーツケース盗難防止器を開示する。
【先行技術文献】
【特許文献】
【０００５】
【特許文献１】特開２００２−０９２７５２号公報
【発明の概要】
【発明が解決しようとする課題】
【０００６】
しかしながら、オゾン発生器は、放出されたオゾンを大量に吸い込むと人体に悪影響があるという問題がある。
【０００７】
本発明は、オゾン発生器によるケース部内の消臭をより安全に行い得るオゾン発生装置等の提供を目的とする。
【課題を解決するための手段】
【０００８】
本発明のオゾン発生装置は、開閉可能なふたを備えるケース部の運搬にともなう所定の事象が検出された場合に所定の出力を行う出力部と、前記出力により前記ケース部内にオゾンを放出するオゾン発生器と、を備える。
【発明の効果】
【０００９】
本発明のオゾン発生装置等は、オゾン発生器によるケース部内の消臭をより安全に行い得る。
【図面の簡単な説明】
【００１０】
【図１】第一実施形態の運搬ケースの構成例を表す概念図である。
【図２】第二実施形態の運搬ケースの構成例を表す概念図である。
【図３】第二実施形態のオゾン発生装置の構成例を表す概念図である。
【図４】第二実施形態の制御部が行う処理の処理フロー例を表す概念図である。
【図５】第三実施形態の運搬ケースの構成例を表す概念図である。
【図６】第三実施形態のオゾン発生装置の構成例を表す概念図である。
【図７】第三実施形態の制御部が行う処理の処理フロー例を表す概念図である。
【図８】第四実施形態の運搬ケースの構成例を表す概念図である。
【図９】第四実施形態のオゾン発生装置の構成例を表す概念図である。
【図１０】第四実施形態の制御部が行う処理の処理フロー例を表す概念図である。
【図１１】第五実施形態の運搬ケースの構成例を表す概念図である。
【図１２】第五実施形態のオゾン発生装置の構成例を表す概念図である。
【図１３】第五実施形態の制御部が行う処理の処理フロー例を表す概念図である。
【図１４】実施形態の運搬ケースの最小限の構成を表す概念図である。
【発明を実施するための形態】
【００１１】
＜第一実施形態＞
第一実施形態は、車輪の回転によりオゾン発生器を駆動する運搬ケースに関する実施形態である。
［構成と動作］
図１は、第一実施形態の運搬ケースの例である運搬ケース１００の構成を表す概念図である。
【００１２】
運搬ケース１００は、ケース部１０５と、オゾン発生装置１１０とを備える。
【００１３】
ケース部１０５は、例えば、一般的なスーツケースである。ケース部１０５は、図示されない開閉可能な構造を有し、また、運搬用の車輪１１１ａ及び１１１ｂを備える。
【００１４】
オゾン発生装置１１０は、発電部１０９とオゾン発生器１０１とを備える。発電部１０９は、車輪１１１ａが回転した場合に電力を発生する。当該電力は、配線９９１を介してオゾン発生器１０１に供給される。
【００１５】
オゾン発生器１０１は、発電部１０９から供給される電力が所定の値を超えるとケース部内にオゾンを放出する。電力が所定の値を超えるのは、車輪１１１ａの回転速度がある値を超えたときである。そして、車輪１１１ａの回転速度がその値を超えることは、典型的には、運搬ケース１００が人により車輪１１１ａを使用して運搬されることにより生じる。
【００１６】
なお、図１のオゾン発生器１０１はケース部１０５内に設置されている。しかしながら、本実施形態に限らず実施形態のオゾン発生器は、ケース部内にオゾンを放出するものであれば、ケース部外に位置していても構わない。
［効果］
本実施形態の運搬装置は、主に、人が車輪を使用して運搬ケースを運搬する際に運搬ケース部内にオゾンを放出する。そのような運搬中は、運搬ケースは通常閉じられており、人が発生したオゾンを直接吸入する可能性は低い。さらに、運搬ケースは、運搬が終了されてすぐにふたが開けられることはまれであり、通常は、運搬終了からふたが開けられるまでに多少の時間がある。従い、運搬中にケース部内に放出されたオゾンの濃度は、ふたが開けられた際には低減している場合が多い。従い、本実施形態の運搬ケースは、ケース部内を消臭するオゾンを人が吸入する危険性を低減する。そのため、実施形態の運搬装置は、オゾン発生器が放出するオゾンによりケース部内をより安全に消臭し得る。
＜第二実施形態＞
第一実施形態のオゾン発生器は、車輪がある程度の回転速度で回転するとオゾンを放出する。そのため、前記オゾン発生器は、ケース部のふたが開いていても、誤って又はいたずら等により車輪が回転した場合にはオゾンを放出し、そのオゾンが人により吸引され得る。第二実施形態のオゾン発生装置は、上記課題を解決するために、車輪の回転速度が一定期間継続し、運搬ケースが運搬中である可能性がより高いときのみにケース部内にオゾンを放出する。
［構成と動作］
図２は本実施形態の運搬ケースの例である運搬ケース１００の構成を表す概念図である。また、図３は、オゾン発生装置１１０の各構成の図２には表さない接続関係を表すブロック図である。
【００１７】
運搬ケース１００は、ケース部１０５とオゾン発生装置１１０とを備える。
【００１８】
ケース部１０５の説明は、図１に表すケース部１０５と同じである。
【００１９】
オゾン発生装置１１０は、オゾン発生器１０１と、電源部１０３と、制御部１０４と、回転センサ１０７ａとを備える。
【００２０】
電源部１０３は、例えば電池を備え、オゾン発生装置１１０の各構成に電力を供給する。図２及び図３では、電源部１０３から各構成への配線は図示されない。
【００２１】
回転センサ１０７ａは、車輪１１１ａの回転速度である第一回転速度を検出する。そして、回転センサ１０７ａは、第一回転速度を表す情報を制御部１０４へ送付する。回転センサ１０７ａには一般に市販されている回転速度センサを用いることができる。
【００２２】
制御部１０４は、回転センサ１０７ａから送付された第一回転速度が所定の期間継続して第一回転速度閾値を超えた旨を判定した場合には、オゾン発生器１０１にオゾンの放出を行わせる。一方、制御部１０４は、第一回転速度が第一回転速度閾値以下になったことを判定した場合には、オゾン発生器１０１にオゾンの放出を停止させる。
【００２３】
図４は、図２及び図３に表す制御部１０４が行う処理の処理フロー例を表す概念図である。
【００２４】
制御部１０４は、例えば、利用者がスイッチをオンにする等による外部からの開始情報の入力により図４に表す処理を開始する。
【００２５】
制御部１０４は、まず、Ｓ１０１の処理として、時間ｔの値を０にした上で、時間ｔの計測を開始する。ここで、制御部１０４は、時計を利用できる環境にあることを前提とする。
【００２６】
次に、制御部１０４は、Ｓ１０２の処理として、回転センサ１０７ａから送付された第一回転速度が第一回転速度閾値を超えたかについての判定を行う。ここで、第一回転速度閾値は、Ｓ１０２の処理のために予め設定された第一回転速度についての閾値である。第一回転速度閾値は、第一回転速度が第一回転速度閾値を超える場合には、人による運搬ケース１００の車輪１１１ａを用いての運搬が行われていることが推定される値に設定されている。制御部１０４は、Ｓ１０２の処理による判定結果がｙｅｓの場合はＳ１０３の処理を行う。一方、制御部１０４は、Ｓ１０２の処理による判定結果がｎｏの場合はＳ１０５の処理を行う。
【００２７】
制御部１０４は、Ｓ１０３の処理を行う場合は、同処理として、直近のＳ１０１の処理により計測を開始した時間が時間Ｔ１を超えたかについての判定を行う。ここで、時間Ｔ１は、Ｓ１０３の処理のために予め定められた時間ｔについての閾値である。時間Ｔ１は、第一回転速度が、時間Ｔ１の間、第一回転速度閾値を超えている場合には、人による運搬ケース１００の車輪１１１ａによる運搬が行われていることが推定される値に設定されている。制御部１０４は、Ｓ１０３の処理による判定結果がｙｅｓの場合はＳ１０４の処理を行う。一方、制御部１０４は、Ｓ１０３の処理による判定結果がｎｏの場合はＳ１０２の処理を再度行う。
【００２８】
制御部１０４は、Ｓ１０４の処理を行う場合は、同処理として、オゾン発生器１０１にオゾンの放出を開始させる。ただし、制御部１０４は、オゾン発生器１０１にオゾンの放出を既に開始させ停止させていない場合は、オゾン発生器１０１にオゾンの放出を継続させる。制御部１０４は、例えば、電源部１０３にオゾン発生器１０１の電力供給を開始又は継続させることによりオゾン発生器１０１にオゾンの放出を開始又は継続させても構わない。そして、制御部１０４は、Ｓ１０６の処理を行う。
【００２９】
制御部１０４は、Ｓ１０５の処理を行う場合は、同処理として、オゾン発生器１０１にオゾンの放出を停止させる。ただし、制御部１０４は、オゾン発生器１０１がオゾンの放出を既に停止している場合は、オゾン発生器１０１に停止を継続させる。制御部１０４は、例えば、電源部１０３にオゾン発生器１０１の電力供給を停止又は停止を継続させることによりオゾン発生器１０１にオゾンの放出を停止又は停止を継続させても構わない。そして、制御部１０４は、Ｓ１０１の処理を再度行う。
【００３０】
制御部１０４は、Ｓ１０６の処理を行う場合は、同処理として、図４に表す処理を終了するかについての判定を行う。制御部１０４は、当該判定を、例えば、利用者がスイッチをオフにする等による外部からの終了情報の入力の有無を判定することにより行う。制御部１０４は、Ｓ１０６の処理による判定結果がｙｅｓの場合は図４に表す処理を終了する。一方、制御部１０４は、Ｓ１０６の処理による判定結果がｎｏの場合はＳ１０２の処理を再度行う。
［効果］
本実施形態の運搬ケースは、所定の車輪の回転速度が回転速度閾値を超える期間が所定の期間を超えたときのみに、ケース部内にオゾンを放出する。当該回転速度閾値及び当該所定の期間は、運搬ケースが運搬中であることがより確実である値に設定され得る。従い、本実施形態の運搬ケースは、ケース部内を消臭するオゾンを人が吸入する危険性を、第一実施形態の運搬ケースと比較して一層低減し得る。そのため、実施形態の運搬装置は、第一実施形態の運搬ケースと比較して、オゾン発生器によるケース部内の消臭をより安全に行い得る。
＜第三実施形態＞
運搬ケースが例えばスーツケースである場合、人が車輪により運搬する際に、４輪による場合に加えて、運搬ケースを傾けて２輪により運搬する場合がある。さらに、例えばスーツケースを傾ける方向が途中で変わり、そのため、運搬に使われる車輪が変わる場合も想定され得る。また、４輪による運搬中であっても、すべての車輪がきちんと接地して回転するとは限らない、地面から浮いている車輪は回転していないことも想定され得る。第三実施形態は、複数の車輪のいずれかの回転速度が所定の値を超える場合にケース部内をオゾンにより消臭することにより上記課題を解決する運搬ケースに関する実施形態である。
［構成と動作］
図５は本実施形態の運搬ケースの例である運搬ケース１００の構成を表す概念図である。また、図６は、オゾン発生装置１１０の各構成の図５には表さない接続関係を表すブロック図である。
【００３１】
運搬ケース１００は、ケース部１０５とオゾン発生装置１１０とを備える。
【００３２】
ケース部１０５の説明は、図１に表すケース部１０５の場合と同じである。
【００３３】
オゾン発生装置１１０は、図２及び図３に表すオゾン発生装置１１０に回転センサ１０７ｂを追加した構成を備える。オゾン発生装置１１０の説明は、以下を除き、図２及び図３に表すオゾン発生装置１１０と同じである。
【００３４】
回転センサ１０７ｂは、車輪１１１ｂの回転速度である第二回転速度を検出する。そして、回転センサ１０７ｂは、第二回転速度を表す第二回転速度情報を制御部１０４へ送付する。回転センサ１０７ｂには一般に市販されている回転速度センサを用いることができる。
【００３５】
制御部１０４は、第一回転速度及び第二回転速度のいずれかが回転速度閾値を超えた期間が所定の期間継続した場合に、オゾン発生器１０１にオゾンの放出を行わせる。一方、制御部１０４は、第一回転速度及び第二回転速度のいずれも回転速度閾値以下になった場合には、オゾン発生器１０１にオゾンの放出を停止させる。
【００３６】
図７は、図５及び図６に表す制御部１０４が行う処理の処理フロー例を表す概念図である。
【００３７】
制御部１０４は、例えば、利用者がスイッチをオンにする等による外部からの開始情報の入力により図４に表す処理を開始する。
【００３８】
制御部１０４は、まず、Ｓ２０１の処理として、時間ｔの値を０にした上で、時間ｔの計測を開始する。ここで、制御部１０４は、時計を利用できる環境にあることを前提とする。
【００３９】
次に、制御部１０４は、Ｓ２０２の処理として、回転センサ１０７ａから送付された第一回転速度が第一回転速度閾値を超えたかについての判定を行う。ここで、第一回転速度閾値は、Ｓ２０２の処理のために予め設定された第一回転速度についての閾値である。第一回転速度閾値は、第一回転速度が第一回転速度閾値を超える場合には、人による車輪１１１ａによる運搬ケース１００の運搬が行われていることが推定される値に設定されている。制御部１０４は、Ｓ２０２の処理による判定結果がｙｅｓの場合はＳ２０４の処理を行う。一方、制御部１０４は、Ｓ２０２の処理による判定結果がｎｏの場合はＳ２０３の処理を行う。
【００４０】
制御部１０４は、Ｓ２０３の処理を行う場合は、同処理として、回転センサ１０７ｂから送付された第二回転速度が第二回転速度閾値を超えたかについての判定を行う。ここで、第二回転速度閾値は、Ｓ２０３の処理のために予め設定された第二回転速度についての閾値である。第二回転速度閾値は、第二回転速度が第二回転速度閾値を超える場合には、人による車輪１１１ｂによる運搬ケース１００の運搬が行われていることが推定される値に設定されている。制御部１０４は、Ｓ２０３の処理による判定結果がｙｅｓの場合はＳ２０４の処理を行う。一方、制御部１０４は、Ｓ２０３の処理による判定結果がｎｏの場合はＳ２０６の処理を行う。
【００４１】
制御部１０４は、Ｓ２０４の処理を行う場合は、同処理として、直近のＳ２０１の処理により計測を開始した時間が時間Ｔ２を超えたかについての判定を行う。ここで、時間Ｔ２は、Ｓ２０４の処理のために予め定められた時間ｔについての閾値である。時間Ｔ２は、第一回転速度が第一回転速度閾値を超えるか第二回転速度が第二回転速度閾値を超えるかの少なくともいずれかの期間が時間Ｔ２を超えた場合には、人による車輪による運搬ケース１００の運搬が行われていることが推定される値に設定されている。制御部１０４は、Ｓ２０４の処理による判定結果がｙｅｓの場合はＳ２０５の処理を行う。一方、制御部１０４は、Ｓ２０４の処理による判定結果がｎｏの場合はＳ２０２の処理を再度行う。
【００４２】
制御部１０４は、Ｓ２０５の処理を行う場合は、同処理として、オゾン発生器１０１にオゾンの放出を開始又は継続させる。制御部１０４は、例えば、電源部１０３にオゾン発生器１０１の電力供給を開始させることによりオゾン発生器１０１にオゾンの放出を開始又は継続させても構わない。そして、制御部１０４は、Ｓ２０７の処理を行う。
【００４３】
制御部１０４は、Ｓ２０６の処理を行う場合は、同処理として、オゾン発生器１０１にオゾンの放出を停止又は停止を継続させる。制御部１０４は、例えば、電源部１０３にオゾン発生器１０１の電力供給を停止させることによりオゾン発生器１０１にオゾンの放出を停止又は停止を継続させても構わない。そして、制御部１０４は、Ｓ２０１の処理を再度行う。
【００４４】
制御部１０４は、Ｓ２０７の処理を行う場合は、同処理として、図７に表す処理を終了するかについての判定を行う。制御部１０４は、当該判定を、例えば、利用者がスイッチをオフにする等による外部からの終了情報の入力の有無を判定することにより行う。制御部１０４は、Ｓ２０７の処理による判定結果がｙｅｓの場合は図７に表す処理を終了する。一方、制御部１０４は、Ｓ２０７の処理による判定結果がｎｏの場合はＳ２０２の処理を再度行う。
［効果］
本実施形態の運搬ケースは、第二実施形態の運搬ケースと同様に車輪の回転速度が回転速度閾値を超える期間が所定の期間を超えるときのみ、ケース部内にオゾンを放出する。そのため、本実施形態の運搬ケースは、まず、第二実施形態の運搬ケースが奏する効果を奏する。それに加え、本実施形態の運搬ケースは、複数の車輪のいずれかの回転速度が回転速度閾値を超える期間が所定の期間を超えたときのみに、ケース部内にオゾンを放出する。従い、本実施形態の運搬ケースは、人が運搬ケースをいずれの車輪により運搬しても、ケース部内を消臭し得る。そのため、本実施形態の冒頭で述べたような、運搬ケースを傾ける向きが変わる等により運搬に使われる車輪が途中で変わる場合や、一部の車輪が浮いた場合にも、ケース部内をオゾンにより消臭し得る。
＜第四実施形態＞
第一乃至第三実施形態のオゾン発生装置は、運搬ケースの車輪が回転する場合にオゾンを放出する。しかしながら、運搬ケースは、車輪によらず、例えば持ち運ばれる場合も想定され得る。第四実施形態は、車輪による運搬が行われなくてもケース部内を消臭し得る運搬ケースに関する実施形態である。
［構成と動作］
図８は本実施形態の運搬ケースの例である運搬ケース１００の構成を表す概念図である。また、図９は、オゾン発生装置１１０の各構成の図８には表さない接続関係を表すブロック図である。
【００４５】
運搬ケース１００は、ケース部１０５とオゾン発生装置１１０とを備える。
【００４６】
ケース部１０５の説明は、図１に表すケース部１０５と同じである。
【００４７】
オゾン発生装置１１０は、オゾン発生器１０１と、開閉センサ１０２と、電源部１０３と制御部１０４とを備える。
【００４８】
電源部１０３は、例えば電池を備え、オゾン発生装置１１０の各構成に電力を供給する。図８では、電源部１０３から各構成への配線は図示されない。
【００４９】
開閉センサ１０２は、ケース部１０５のふたが閉じているか否かを表す開閉情報を制御部１０４へ送付する。なお、開閉センサの種類は任意であり、例えば、ふたが閉じているときには、ふたが開いているときには形成されない導電経路が形成されることを利用したものであっても構わない。
【００５０】
制御部１０４は、開閉情報が、ふたが閉じていることを表す期間が所定の期間を超えた場合には、オゾン発生器１０１にオゾンの放出を行わせる。一方、制御部１０４は、開閉情報が、ふたが開いていることを表す場合には、オゾン発生器１０１にオゾンの放出を停止させる。
【００５１】
図１０は、図８及び図９に表す制御部１０４が行う処理の処理フロー例を表す概念図である。
【００５２】
制御部１０４は、例えば、利用者がスイッチをオンにする等による外部からの開始情報の入力により図１０に表す処理を開始する。
【００５３】
制御部１０４は、まず、Ｓ３０１の処理として、時間ｔの値を０にした上で、時間ｔの計測を開始する。ここで、制御部１０４は、時計を利用できる環境にあることを前提とする。
【００５４】
次に、制御部１０４は、Ｓ３０２の処理として、開閉情報が、ふたが閉じている旨を表すかについての判定を行う。制御部１０４は、Ｓ３０２の処理による判定結果がｙｅｓの場合はＳ３０３の処理を行う。一方、制御部１０４は、Ｓ３０２の処理による判定結果がｎｏの場合はＳ３０５の処理を行う。
【００５５】
制御部１０４は、Ｓ３０３の処理を行う場合は、同処理として、直近のＳ３０１の処理により計測を開始した時間が時間Ｔ３を超えたかについての判定を行う。ここで、時間Ｔ３は、Ｓ３０３の処理のために予め定められた時間ｔについての閾値である。制御部１０４は、Ｓ３０３の処理による判定結果がｙｅｓの場合はＳ３０４の処理を行う。一方、制御部１０４は、Ｓ３０３の処理による判定結果がｎｏの場合はＳ３０２の処理を再度行う。
【００５６】
制御部１０４は、Ｓ３０４の処理を行う場合は、同処理として、オゾン発生器１０１にオゾンの放出を開始させる。ただし、制御部１０４は、オゾン発生器１０１にオゾンの放出を既に開始させ停止させていない場合は、オゾン発生器１０１にオゾンの放出を継続させる。制御部１０４は、例えば、電源部１０３にオゾン発生器１０１の電力供給を開始又は継続させることによりオゾン発生器１０１にオゾンの放出を開始又は継続させても構わない。そして、制御部１０４は、Ｓ３０６の処理を行う。
【００５７】
制御部１０４は、Ｓ３０５の処理を行う場合は、同処理として、オゾン発生器１０１にオゾンの放出を停止させる。ただし、制御部１０４は、オゾン発生器１０１がオゾンの放出を既に停止している場合は、オゾン発生器１０１に停止を継続させる。制御部１０４は、例えば、電源部１０３にオゾン発生器１０１の電力供給を停止又は停止を継続させることによりオゾン発生器１０１にオゾンの放出を停止又は停止を継続させても構わない。そして、制御部１０４は、Ｓ３０１の処理を再度行う。
【００５８】
制御部１０４は、Ｓ３０６の処理を行う場合は、同処理として、図１０に表す処理を終了するかについての判定を行う。制御部１０４は、当該判定を、例えば、利用者がスイッチをオフにする等による外部からの終了情報の入力の有無を判定することにより行う。制御部１０４は、Ｓ３０６の処理による判定結果がｙｅｓの場合は図１０に表す処理を終了する。一方、制御部１０４は、Ｓ３０６の処理による判定結果がｎｏの場合はＳ３０２の処理を再度行う。
［効果］
本実施形態の運搬ケースは、ふたが所定の期間閉じているときのみに、ケース部内にオゾンを放出する。従い、本実施形態の運搬ケースは、ケース部内を消臭するオゾンを人が吸入する危険性を低減し得る。本実施形態の運搬ケースは、また、運搬ケースが車輪により運搬されるか否かに関係なくケース部内を消臭し得る。運搬する際に、運搬ケースは、車輪によらず例えば持ち運ばれる場合も想定され得る。本実施形態の運搬ケースは、運搬が車輪により行われない場合であっても、ケース部内を消臭し得る。
＜第五実施形態＞
第二及び第三実施形態のオゾン発生装置は、車輪の回転が一定期間継続した場合にオゾンを発生する。しかしながら、回転が一定期間以上継続した場合にも、例えば、幼児が長時間いたずらして車輪を回転させた場合にはオゾンが放出され得る。また、第四実施形態のオゾン発生装置は、ふたが閉じられている期間が一定期間以上継続した場合にオゾンを発生する。その場合には、運搬ケースが運搬中でなく単にふたが閉められた状態でおかれている場合が含まれる。その場合、ケース部内に充満したオゾンは、突然ふたが開けられることにより人に吸引され得る。第五実施形態は、所定の振動を検知し、運搬ケースが運搬中である可能性がより高いときにケース部内にオゾンを放出する運搬ケースに関する実施形態である。
［構成と動作］
図１１は本実施形態の運搬ケースの例である運搬ケース１００の構成を表す概念図である。また、図１２は、オゾン発生装置１１０の各構成の図１１には表さない接続関係を表すブロック図である。
【００５９】
運搬ケース１００は、ケース部１０５とオゾン発生装置１１０とを備える。
【００６０】
ケース部１０５の説明は、図１に表すケース部１０５と同じである。
【００６１】
オゾン発生装置１１０は、オゾン発生器１０１と、回転センサ１０７ａ及び１０７ｂと、開閉センサ１０２と、振動センサ１０６と、電源部１０３と制御部１０４とを備える。
【００６２】
電源部１０３及び回転センサ１０７ａの説明は図２及び図３の場合と同じである。回転センサ１０７ｂの説明は、図５及び図６の場合と同じである。開閉センサ１０２の説明は、図８及び図９の場合と同じである。
【００６３】
振動センサ１０６は、振動レベルに応じた振動値を、制御部１０４に送付する。振動センサ１０６には市販のものを用いることができる。
【００６４】
制御部１０４は、第一回転速度及び第二回転速度のいずれかが所定の値を超え、開閉情報が、ふたが閉じていることを示し、かつ、振動値が所定の値を超える、期間が一定期間継続した場合に、オゾン発生器１０１にオゾンを放出させる。制御部１０４は、上記以外の場合には、オゾン発生器１０１にオゾンの放出を停止させる。
【００６５】
図１３は、図２及び図３に表す制御部１０４が行う処理の処理フロー例を表す概念図である。
【００６６】
制御部１０４は、例えば、利用者がスイッチをオンにする等による外部からの開始情報の入力により図１３に表す処理を開始する。
【００６７】
制御部１０４は、まず、Ｓ４０１の処理として、時間ｔの値を０にした上で、時間ｔの計測を開始する。ここで、制御部１０４は、時計を利用できる環境にあることを前提とする。
【００６８】
次に、制御部１０４は、Ｓ４０２の処理として、回転センサ１０７ａから送付された第一回転速度が第一回転速度閾値を超えたかについての判定を行う。ここで、第一回転速度閾値は、Ｓ４０２の処理のために予め設定された第一回転速度についての閾値である。第一回転速度閾値は、回転速度が第一回転速度閾値を超える場合には、人による車輪１１１ａによる運搬ケース１００の運搬が行われていることが推定される値に設定されている。制御部１０４は、Ｓ４０２の処理による判定結果がｙｅｓの場合はＳ４０４の処理を行う。一方、制御部１０４は、Ｓ４０２の処理による判定結果がｎｏの場合はＳ４０３の処理を行う。
【００６９】
制御部１０４は、Ｓ４０３の処理を行う場合は、同処理として、回転センサ１０７ｂから送付された第二回転速度が第二回転速度閾値を超えたかについての判定を行う。ここで、第二回転速度閾値は、Ｓ４０３の処理のために予め設定された第二回転速度についての閾値である。第二回転速度閾値は、第二回転速度が第二回転速度閾値を超える場合には、人による車輪１１１ｂによる運搬ケース１００の運搬が行われていることが推定される値に設定されている。制御部１０４は、Ｓ４０３の処理による判定結果がｙｅｓの場合はＳ４０４の処理を行う。一方、制御部１０４は、Ｓ４０３の処理による判定結果がｎｏの場合はＳ４０８の処理を行う。
【００７０】
制御部１０４は、Ｓ４０４の処理を行う場合は、同処理として、開閉情報が、ふたが閉じている旨を表すかについての判定を行う。制御部１０４は、Ｓ４０４の処理による判定結果がｙｅｓの場合はＳ４０５の処理を行う。一方、制御部１０４は、Ｓ４０４の処理による判定結果がｎｏの場合はＳ４０８の処理を行う。
【００７１】
制御部１０４は、Ｓ４０５の処理を行う場合は、同処理として、振動センサ１０６から送付された振動情報が表す振動レベルが振動閾値を超えているかについて判定する。制御部１０４は、Ｓ４０５の処理による判定結果がｙｅｓの場合はＳ４０６の処理を行う。一方、制御部１０４は、Ｓ４０５の処理による判定結果がｎｏの場合はＳ４０８の処理を行う。
【００７２】
制御部１０４は、Ｓ４０６の処理を行う場合は、同処理として、直近のＳ４０１の処理により計測を開始した時間が時間Ｔ４を超えたかについての判定を行う。ここで、時間Ｔ４は、Ｓ４０６の処理のために予め定められた時間ｔについての閾値である。時間Ｔ４は、次の期間が時間Ｔ４を超える場合には、運搬ケース１００が人により運搬されていると推定される期間として設定される。すなわち、前記期間は、第一回転速度が第一回転速度閾値を超えるか第二回転速度が第二回転速度閾値を超えるかのいずれかであり、ふたが閉まっており、かつ、振動レベルが振動閾値を超える期間である。制御部１０４は、Ｓ４０６の処理による判定結果がｙｅｓの場合はＳ４０７の処理を行う。一方、制御部１０４は、Ｓ４０６の処理による判定結果がｎｏの場合はＳ４０２の処理を再度行う。
【００７３】
制御部１０４は、Ｓ４０７の処理を行う場合は、同処理として、オゾン発生器１０１にオゾンの放出を開始させる。ただし、制御部１０４は、オゾン発生器１０１にオゾンの放出を既に開始させ停止させていない場合は、オゾン発生器１０１にオゾンの放出を継続させる。制御部１０４は、例えば、電源部１０３にオゾン発生器１０１の電力供給を開始又は継続させることによりオゾン発生器１０１にオゾンの放出を開始又は継続させても構わない。そして、制御部１０４は、Ｓ４０９の処理を行う。
【００７４】
制御部１０４は、Ｓ４０８の処理を行う場合は、同処理として、オゾン発生器１０１にオゾンの放出を停止させる。ただし、制御部１０４は、オゾン発生器１０１がオゾンの放出を既に停止している場合は、オゾン発生器１０１に停止を継続させる。制御部１０４は、例えば、電源部１０３にオゾン発生器１０１の電力供給を停止又は停止を継続させることによりオゾン発生器１０１にオゾンの放出を停止又は停止を継続させても構わない。そして、制御部１０４は、Ｓ４０１の処理を再度行う。
【００７５】
制御部１０４は、Ｓ４０９の処理を行う場合は、同処理として、図１３に表す処理を終了するかについての判定を行う。制御部１０４は、当該判定を、例えば、利用者がスイッチをオフにする等による外部からの終了情報の入力の有無を判定することにより行う。制御部１０４は、Ｓ４０９の処理による判定結果がｙｅｓの場合は図１３に表す処理を終了する。一方、制御部１０４は、Ｓ４０６の処理による判定結果がｎｏの場合はＳ４０２の処理を再度行う。
［効果］
本実施形態の運搬ケースは、所定の車輪の回転速度が回転速度閾値を超え、ふたが閉じており、かつ、振動レベルが振動閾値を超える期間が所定の期間を超えるときに、ケース部内にオゾンを放出する。ふたが閉じていることに加えて当該回転速度閾値、振動閾値及び当該期間は、運搬ケースが運搬中であることがより確実である値に設定され得る。従い、本実施形態の運搬ケースは、運搬中である場合のみオゾンをケース部内に放出する確率を一層向上させ得る。そのため、本実施形態の運搬ケースは、ケース部内を消臭するオゾンを人が吸入する危険性を、第一乃至第四実施形態の運搬ケースと比較して一層低減し得る。そのため、本実施形態の運搬ケースは、第一乃至第四実施形態の運搬ケースと比較して、オゾン発生器によるケース部内の消臭を一層安全に行い得る。
【００７６】
実施形態のオゾン発生装置は、第一乃至第五実施形態で説明されたものに限らず、ケース部の運搬の可能性が高い場合にオゾンをケース部内に放出するものであれば構わない。そのようなオゾン発生装置には、例えば、オゾン発生装置が、ケース部が運搬用の車輪を備える場合における車輪が回転するか、ケース部の振動があるか、ふたが閉じられているかのうちの少なくともいずれかの場合にケース部内にオゾンを放出するものが含まれる。さらに、実施形態のオゾン発生装置は、上記以外のモードを備えていても構わない。当該モードは、例えば、オゾン発生装置が、上記に拘わらず強制的にオゾンを放出するモードである。実施形態のオゾン発生装置は、上記場合（モードや選択肢）があれば構わない。
【００７７】
また、以上の説明ではオゾン発生装置は主にケース部内に設置される場合の例を説明した。しかしながら、実施形態のオゾン発生装置はケース部の外側に設置されていても構わない。また、実施形態のオゾン発生装置はケース部と分離されていても構わない。
【００７８】
図１４は、実施形態の運搬ケースの最小限の構成であるオゾン発生装置１１０ｘの構成を表す概念図である。
【００７９】
オゾン発生装置１１０ｘは、出力部１０７ｘとオゾン発生器１０１ｘとを備える。
【００８０】
出力部１０７ｘは、開閉可能なふたを備えるケース部の運搬にともなう所定の事象が検出された場合に所定の出力を行う。オゾン発生器１０１ｘは、前記出力により前記ケース部内にオゾンを放出する。
【００８１】
オゾン発生装置１１０ｘは、開閉可能なふたを備えるケース部内にオゾンを放出するオゾン発生装置である。オゾン発生装置１１０ｘは、前記ケース部の運搬にともなう所定の事象が検出された場合に前記ケース部内にオゾンを放出する。前記運搬中は、前記ケース部は、ふたが開けられない状態である可能性が高い。そして、オゾンの放出中にふたが開けられなければ、人が吸引するオゾンの量は少ない。従い、オゾン発生装置１１０ｘは、オゾン発生器によるケース部内の消臭をより安全に行い得る。
【００８２】
そのため、オゾン発生装置１１０ｘは、前記構成により、［発明の効果］の項に記載した効果を奏する。
【００８３】
なお、オゾン発生装置１１０ｘは、例えば、図１、図２、図３、図５、図６、図８、図９、図１１及び図１２に表すオゾン発生装置１１０である。また、出力部１０７ｘは、例えば、図１に表す発電部１０９、図２、図３、図５、図６、図１１及び図１２に表す回転センサ１０７ａ、図５、図６、図１１及び図１２に表す回転センサ１０７ｂである。出力部１０７ｘは、あるいは、例えば、図８、図９、図１１及び図１２に表す開閉センサ１０２及び図１１乃至図１２に表す振動センサである。また、前記ケース部は、例えば、図１、図２、図５、図８及び図１１に表すケース部１０５である。
【００８４】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００８５】
また、前記の実施形態の一部又は全部は、以下の付記のようにも記述され得るが、以下には限られない。
（付記１）
開閉可能なふたを備えるケース部の運搬にともなう所定の事象が検出された場合に所定の出力を行う出力部と、
前記出力により前記ケース部内にオゾンを放出するオゾン発生器と、
を備える、オゾン発生装置。
（付記２）
前記事象は前記ケース部の備える車輪の回転である、付記１に記載されたオゾン発生装置。
（付記３）
前記出力部は、前記回転により電力を発生する発電器を備え、前記オゾン発生器は、前記電力により前記放出を行う、付記２に記載されたオゾン発生装置。
（付記４）
前記出力部は、前記ケース部の備える車輪の回転を表す回転情報の前記出力を行う回転検知部を備え、
前記検出を回転情報により行う回転情報処理部をさらに備える、
付記２に記載されたオゾン発生装置。
（付記５）
前記事象は前記ケース部の備える車輪の回転の回転速度が回転速度閾値を超えることであり、
前記出力部は、前記ケース部の備える車輪の回転速度を表す回転速度情報の前記出力を行う回転速度検知部を備え、
前記検出を回転速度情報により行う回転速度情報処理部をさらに備える、
付記１に記載されたオゾン発生装置。
（付記６）
前記事象は前記ケース部の備える車輪の回転の回転速度が、所定の期間、回転速度閾値を超えたことであり、
前記出力部は、前記ケース部の備える車輪の回転速度を表す回転速度情報の前記出力を行う回転速度検知部を備え、
前記検出を回転速度情報により行う回転速度情報処理部をさらに備える、
付記１に記載されたオゾン発生装置。
（付記７）
前記事象が、前記車輪である第一車輪の前記回転速度が前記回転速度閾値である第一回転速度閾値を超えるか、前記車輪である第二車輪の前記回転速度が前記回転速度閾値である第二回転速度閾値を超えるか、のいずれかである、
付記６に記載されたオゾン発生装置。
（付記８）
前記事象は前記ケース部の備えるふたが閉じていることである、付記１に記載されたオゾン発生装置。
（付記９）
前記出力部は、前記ケース部の備えるふたが閉じている旨を表す閉情報の前記出力を行う開閉検知部を備え、
前記検出を前記閉情報により行う開閉情報処理部をさらに備える、
付記８に記載されたオゾン発生装置。
（付記１０）
前記事象は前記ケース部の備えるふたが、所定の期間、閉じていることである、付記１に記載されたオゾン発生装置。
（付記１１）
前記出力部は、前記ケース部の備えるふたが閉じている旨を表す閉情報の前記出力を行う開閉検知部を備え、
前記検出を前記閉情報により行う開閉情報処理部をさらに備える、
付記１０に記載されたオゾン発生装置。
（付記１２）
前記事象は前記ケース部の振動があることである、付記１に記載されたオゾン発生装置。
（付記１３）
前記出力部は、前記ケース部の振動を表す振動情報の前記出力を行う振動検知部を備え、
前記検出を前記振動情報により行う振動情報処理部をさらに備える、
付記１２に記載されたオゾン発生装置。
（付記１４）
前記事象は前記ケース部の振動の大きさを表す振動値が振動値閾値を超えたことである、付記１に記載されたオゾン発生装置。
（付記１５）
前記出力部は、前記振動値の前記出力を行う振動値検知部を備え、
前記検出を前記振動値により行う振動値処理部をさらに備える、
付記１４に記載されたオゾン発生装置。
（付記１６）
前記事象は前記ケース部の振動の大きさを表す振動値が、所定の期間、振動値閾値を超えたことである、付記１に記載されたオゾン発生装置。
（付記１７）
前記出力部は、前記振動値の前記出力を行う振動値検知部を備え、
前記検出を前記振動値により行う振動値処理部をさらに備える、
付記１６に記載されたオゾン発生装置。
（付記１８）
前記ケース部に設置された、付記１乃至付記１７のうちのいずれか一に記載されたオゾン発生装置。
（付記１９）
前記ケース部の内部に設置された、付記１８に記載されたオゾン発生装置。
（付記２０）
付記１乃至付記１９のうちのいずれか一に記載されたオゾン発生装置と、前記ケース部とを備える、運搬ケース。
（付記２１）
前記ふたが閉じた状態では前記ケース部の内部が略密閉状態になる、付記２０に記載された運搬ケース。
（付記２２）
前記ケース部がスーツケースである、付記２０又は付記２１に記載された運搬ケース。
（付記２３）
前記ケース部は使用により内部に異臭が発生する場合があるものである、付記２０乃至付記２２のうちのいずれか一に記載された運搬ケース。
【符号の説明】
【００８６】
１００    運搬ケース
１０１、１０１ｘ    オゾン発生器
１０２    開閉センサ
１０３    電源部
１０４    制御部
１０５    ケース部
１０６    振動センサ
１０７ａ、１０７ｂ    回転センサ
１０７ｘ    出力部
１０９    発電部
１１０、１１０ｘ    オゾン発生装置
１１１ａ、１１１ｂ    車輪
９９１    配線
【図１】
2020147456.tif 000003
【図２】
2020147456.tif 000004
【図３】
2020147456.tif 000005
【図４】
2020147456.tif 000006
【図５】
2020147456.tif 000007
【図６】
2020147456.tif 000008
【図７】
2020147456.tif 000009
【図８】
2020147456.tif 000010
【図９】
2020147456.tif 000011
【図１０】
2020147456.tif 000012
【図１１】
2020147456.tif 000013
【図１２】
2020147456.tif 000014
【図１３】
2020147456.tif 000015
【図１４】
2020147456.tif 000016
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
開閉可能なふたを備えるケース部の運搬にともなう所定の事象が検出された場合に所定の出力を行う出力部と、
前記出力により前記ケース部内にオゾンを放出するオゾン発生器と、
を備え、
前記事象は前記ケース部の備える車輪の回転である、オゾン発生装置。
【請求項２】
前記出力部は、前記回転により電力を発生する発電器を備え、前記オゾン発生器は、前記電力により前記放出を行う、請求項１に記載されたオゾン発生装置。
【請求項３】
開閉可能なふたを備えるケース部の運搬にともなう所定の事象が検出された場合に所定の出力を行う出力部と、
前記出力により前記ケース部内にオゾンを放出するオゾン発生器と、
を備え、
前記事象は前記ケース部の備える車輪の回転の回転速度が、所定の期間、回転速度閾値を超えたことである、オゾン発生装置。
【請求項４】
前記出力部は、前記ケース部の備える車輪の回転速度を表す回転速度情報の前記出力を行う回転速度検知部を備え、
前記検出を回転速度情報により行う回転速度情報処理部をさらに備える、
請求項３に記載されたオゾン発生装置。
【請求項５】
前記事象が、前記車輪である第一車輪の前記回転速度が前記回転速度閾値である第一回転速度閾値を超えるか、前記車輪である第二車輪の前記回転速度が前記回転速度閾値である第二回転速度閾値を超えるか、のいずれかである、
請求項３又は請求項４に記載されたオゾン発生装置。
【請求項６】
請求項１乃至請求項５のうちのいずれか一に記載されたオゾン発生装置と、前記ケース部とを備える、運搬ケース。